(57)【要約】  本願は、ベースバンド処理分離アーキテクチャにおける情報処理方法、装置、及びコンピュータ記憶媒体を開示しており、前記方法において、分散ユニット（ＤＵ）は、複数の集中ユニット（ＣＵ）の負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するステップと、前記ＤＵは、複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するステップと、を含む。
2021525042.tif 000002
【特許請求の範囲】
【請求項１】
ベースバンド処理分離アーキテクチャにおける情報処理方法であって、
分散ユニットＤＵは、複数の集中ユニットＣＵの負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するステップと、
前記ＤＵは、複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するステップと、を含む情報処理方法。
【請求項２】
前記ＤＵは前記複数のＣＵの負荷情報を受信する前に、
前記ＤＵは、前記複数のＣＵからフィードバックされ前記ＣＵの負荷情報を含む負荷指示情報を受信するステップをさらに含む、請求項１に記載の方法。
【請求項３】
前記第１のＣＵのセルデータを前記第１のＣＵから前記第２のＣＵに移行するステップは、
前記ＤＵは、前記第１のＣＵとの間でのみデータ伝送がある場合、前記第１のＣＵのセルデータを前記第１のＣＵから前記第２のＣＵに直接移行するステップを含む、請求項１又は２に記載の方法。
【請求項４】
前記第１のＣＵのセルデータを前記第１のＣＵから前記第２のＣＵに移行するステップは、
前記ＤＵは、前記第１のＣＵ及び前記第２のＣＵの両方とデータ伝送がある場合、前記第２のＣＵのデータ伝送が更新されてから、前記第１のＣＵのセルデータを前記第１のＣＵから前記第２のＣＵに移行するステップを含む、請求項１又は２に記載の方法。
【請求項５】
前記ＤＵは、前記複数のＣＵの負荷情報に基づいて、前記複数のＣＵのうち、負荷が目標閾値よりも高い第１のＣＵと、負荷が目標閾値よりも低い第２のＣＵとを判定するステップは、
前記複数のＣＵの負荷情報のうちの第１のＣＵの負荷情報が、負荷状態において前記目標閾値よりも高い負荷値を特徴付けるための第１の負荷閾値以上である場合、前記第１のＣＵは高負荷状態にあるステップと、
前記複数のＣＵの負荷情報のうちの第２のＣＵの負荷情報が、負荷状態において前記目標閾値よりも低い負荷値を特徴付けるための第２の負荷閾値よりも小さい場合、前記第２のＣＵは低負荷状態にあるステップと、
前記第１のＣＵ及び前記第２のＣＵにそれぞれ制御シグナリングを送信するＤＵの動作をトリガするステップと、をさらに含む、請求項１又は２に記載の方法。
【請求項６】
全ＵＥ数に対するＣＵのＵＥ数の割合、ＣＰＵ使用率、メモリ使用率、ストレージ使用率、帯域幅使用率、ＤＵのＵＥ数重み、ＣＰＵ使用率重み、メモリ使用率重み、ストレージ指標重み、帯域幅重みのうちの少なくとも１つに基づいて、ＣＵ平均負荷を取得するステップと、
前記ＣＵ平均負荷に基づいて、複数のＣＵ間で負荷を均衡化する必要があるか否かを判定するステップと、をさらに含む、請求項１又は２に記載の方法。
【請求項７】
前記第１のＣＵのセルデータを前記第１のＣＵから前記第２のＣＵに移行した後、
前記ＤＵは、移行により得られた新しいセルに新しいユーザをアクセスするように前記第２のＣＵに指示するステップと、
アクセスされた既存ユーザが前記第１のＣＵに存在しない場合、前記ＤＵは、前記第１のＣＵ上でセルデータの移行が完了したと判定し、前記ＤＵは、セルデータの同期更新を行う旨を前記第１のＣＵに通知するステップと、をさらに含む、請求項１又は２に記載の方法。
【請求項８】
複数の集中ユニットＣＵの負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するように構成されている負荷判定部と、
複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するように構成されている均衡化処理部と、を備える、ベースバンド処理分離アーキテクチャにおける情報処理装置。
【請求項９】
前記複数のＣＵからフィードバックされ前記ＣＵの負荷情報を含む負荷指示情報を受信するように構成されている受信部をさらに備える、請求項８に記載の装置。
【請求項１０】
前記均衡化処理部は、さらに、前記ＤＵが前記第１のＣＵとの間でのみデータ伝送がある場合、前記第１のＣＵのセルデータを前記第１のＣＵから前記第２のＣＵに直接移行するように構成されている、請求項８又は９に記載の装置。
【請求項１１】
前記均衡化処理部は、さらに、前記ＤＵが前記第１のＣＵと前記第２のＣＵの両方とデータ伝送がある場合、前記第２のＣＵのデータ伝送が更新されてから、前記第１のＣＵのセルデータを前記第１のＣＵから前記第２のＣＵに移行するように構成されている、請求項８又は９に記載の装置。
【請求項１２】
前記負荷判定部は、さらに、前記複数のＣＵの負荷情報のうちの第１のＣＵの負荷情報が、負荷状態において前記目標閾値よりも高い負荷値を特徴付けるための第１の負荷閾値以上である場合、前記第１のＣＵは高負荷状態にあり、
前記複数のＣＵの負荷情報のうちの第２のＣＵの負荷情報が、負荷状態において前記目標閾値よりも低い負荷値を特徴付けるための第２の負荷閾値よりも小さい場合、前記第２のＣＵは低負荷状態にあり、
前記第１のＣＵ及び前記第２のＣＵにそれぞれ制御シグナリングを送信する動作をトリガするように構成されている、請求項８又は９に記載の装置。
【請求項１３】
全ＵＥ数に対するＣＵのＵＥ数の割合、ＣＰＵ使用率、メモリ使用率、ストレージ使用率、帯域幅使用率、ＤＵのＵＥ数重み、ＣＰＵ使用率重み、メモリ使用率重み、ストレージ指標重み、帯域幅重みの少なくとも１つに基づいて、ＣＵの平均負荷を取得するように構成されている平均負荷算出部と、
前記ＣＵ平均負荷に基づいて、複数のＣＵ間で負荷を均衡化する必要があるか否かを判定するように構成されている負荷均衡化決定部と、をさらに備える、請求項８又は９に記載の装置。
【請求項１４】
移行により得られた新しいセルに新しいユーザをアクセスするように前記第２のＣＵに指示するように構成されている指示部と、
アクセスされた既存ユーザが前記第１のＣＵに存在しない場合、前記第１のＣＵのセルデータの移行が完了したと判定し、セルデータの同期更新を行う旨を前記第１のＣＵに通知するように構成されている更新通知部と、をさらに備える、請求項８又は９に記載の装置。
【請求項１５】
コンピュータプログラムが記憶されているメモリと、
前記コンピュータプログラムを実行すると、請求項１〜７のいずれか１項に記載の方法のステップを実現するように構成されているプロセッサと、を備える、ベースバンド処理分離アーキテクチャにおける情報処理装置。
【請求項１６】
プロセッサによって実行されると、請求項１〜７のいずれか１項に記載の方法のステップを実現するコンピュータプログラムが記憶されたコンピュータ記憶媒体。
【発明の詳細な説明】
【技術分野】
【０００１】
［関連出願の相互参照］
本願は、出願番号が２０１８１０８２１２５１．４、出願日が２０１８年０７月２４日の中国特許出願に基づいて提案されたものであり、当該中国特許出願の優先権を主張しており、当該中国特許出願の全内容は参照として本願に組み込まれている。
【０００２】
［技術分野］
本願は、無線通信の分野に関するがこれに限定されるものではなく、特にベースバンド処理分離アーキテクチャにおける情報処理方法、装置、及びコンピュータ記憶媒体に関する。
【背景技術】
【０００３】
移動通信技術の発展に伴い、第５世代（５Ｇ、５ｔｈ  Ｇｅｎｅｒａｔｉｏｎ）が注目されてきた。ベースバンド処理ユニット（ＢＢＵ、Ｂｕｉｌｄｉｎｇ  Ｂａｓｅｂａｎｄ  Ｕｎｉｔ）機能は、５Ｇにおいて、集中ユニット（ＣＵ、Ｃｅｎｔｒａｌ  Ｕｎｉｔ）と分散ユニット（ＤＵ、Ｄｉｓｔｒｉｂｕｔｅｄ  Ｕｎｉｔ）の２つの機能エンティティに再構成されている。具体的には、５Ｇでは、ＣＵとＤＵを含むクラウド無線アクセスネットワークＣＲＡＮ（Ｃｌｏｕｄ  Ｒａｄｉｏ  Ａｃｃｅｓｓ  Ｎｅｔｗｏｒｋ）について詳細な研究が行われている。図１に示すように、ＣＵ−ＤＵ分離システムアーキテクチャでは、第１のＣＵ２１及び第２のＣＵ２２のような１グループのＣＵ（少なくとも２つのＣＵ）がそれぞれコアネットワーク１１に接続されており、ＣＵとコアネットワークとの間のインタフェースを介して、コアネットワークとＣＵとの間のシグナリングパラメータ及びデータ伝送が達成される。ここで、１つのＣＵは１つ又は複数のＤＵに同時に接続され得、たとえば、第１のＣＵ２１は第１のＤＵ３１及び第２のＤＵ３２に接続され、第２のＣＵ２２は第３のＤＵ３３に接続される。ＣＵが地域のモノのインターネットの集中管理を行うことで、機器の通信とモノのインターネットをサポートすることができ、また、ＲＡＮのリアルタイム処理ＤＵと非リアルタイム処理機能ユニットＣＵをよりユーザに近い位置に配備することができ、対応するサーバとサービスゲートウェイを配備することにより、特定の遅延や信頼性のニーズを満たすことができ、Ｃ−ＲＡＮは低遅延、高信頼性のサービスを効果的にサポートすることができる。その反面、１つのＣＵが複数のＤＵを制御する場合、各ＤＵが１つのＣＵのみに接続され、その結果、制御シグナリングの伝送負荷が高すぎる可能性があるという問題も生じており、現在のところ、ＣＵ負荷均衡化の問題に効果的に対処し得る手段はまだ存在しない。
【発明の概要】
【０００４】
本願の実施例に係るベースバンド処理分離アーキテクチャにおける情報処理方法は、
分散ユニットＤＵは、複数の集中ユニットＣＵの負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するステップと、
前記ＤＵは、複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するステップと、を含む。
【０００５】
本願の実施例に係るベースバンド処理分離アーキテクチャにおける情報処理装置は、
複数の集中ユニットＣＵの負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するように構成されている負荷判定部と、
複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するように構成されている均衡化処理部と、を備える。
【０００６】
本願の実施例に係るベースバンド処理分離アーキテクチャにおける情報処理装置は、
コンピュータプログラムが記憶されているメモリと、
前記コンピュータプログラムを実行すると、上記態様のいずれか１項に記載の方法のステップを実現するように構成されているプロセッサと、を備える。
【０００７】
本願の実施例に係るコンピュータ記憶媒体は、プロセッサによって実行されると、上記の態様のいずれか１項に記載の方法のステップを実現するコンピュータプログラムが記憶されている。
【発明の効果】
【０００８】
本願の実施例に係る技術案では、ＤＵは、複数のＣＵの負荷情報を受信し、複数のＣＵの負荷情報に基づいて、複数のＣＵのうち、負荷が目標閾値よりも高い第１のＣＵと、負荷が目標閾値よりも低い第２のＣＵとを判定する。ＤＵは、複数のＣＵ間で負荷を均衡化するために、第１のＣＵのセルデータを第１のＣＵから第２のＣＵに移行することを指示する制御シグナリングを第１のＣＵ及び第２のＣＵにそれぞれ送信する。
【０００９】
各ＤＵは、複数のＣＵに接続されているので、複数のＣＵの負荷情報を受信し、複数のＣＵにそれぞれ送信され、第１のＣＵのセルデータを第１のＣＵから第２のＣＵに移行することを指示する制御シグナリングにより指示を伝送する。この処理の過程には、複数のＣＵに制御シグナリングが送信されることにより、制御シグナリングの伝送負荷を低減することができ、ＤＵは、複数のＣＵの負荷情報に基づいて、現在アクセスされている第１のＣＵの負荷が高いと判定した場合、第１のＣＵのセルデータを負荷の高い第１のＣＵから負荷の低い第２のＣＵに移行することができ、それにより、ＣＵ負荷均衡化に関する問題を解決する。
【図面の簡単な説明】
【００１０】
【図１】図１はＣＵ／ＤＵアーキテクチャ図である。
【図２】図２は本願の実施例を適用した適用シナリオの模式図である。
【図３】図３は本願の実施例におけるＣＵ／ＤＵアーキテクチャ図である。
【図４】図４は本願の実施例のセル活性化（又は確立）のフローチャートである。
【図５】図５は本願の実施例の方法の一例のフローチャートである。
【図６】図６は本願の実施例の別の方法のフローチャートである。
【図７】図７は本願の実施例の装置の構成要素の構造図である。
【図８】図８は本願の実施例の装置のハードウェア構成の模式図である。
【図９】図９は本願の実施例のＣＵ／ＤＵアーキテクチャにおける実装ブロック図である。
【図１０】図１０は本願の実施例のＦ１インタフェースプロトコルのインタラクション過程１のフローチャートである。
【図１１】図１１は本願の実施例のＦ１インタフェースプロトコルのインタラクション過程２のフローチャートである。
【発明を実施するための形態】
【００１１】
以下、図面及び実施例を参照しながら、本願をさらに詳細に説明する。ここでの実施例は、本願を解釈するために過ぎず、本願を限定するものではないことが理解されるべきである。また、以下の実施例は、本願を実施するための実施例の一部であり、本願を実施するためのすべての実施例を提供するものではなく、矛盾しない場合、本願の実施例に記載された技術案は、任意の組み合わせで実施することができる。
【００１２】
なお、本願の実施例では、用語「備える」、「含む」、又はそれらの他の任意の変形は、非排他的な包含をカバーすることを意図しており、このため、一連の要素を含む方法又は装置は、明示的に記載されている要素だけでなく、明示的に記載されていない他の要素も含むか、又は実施方法又は装置に固有の要素も含む。これ以上の制限がない場合、文「…を備える」によって限定された要素は、当該要素を含む方法又は装置に追加の関連要素（たとえば、方法のステップ又は装置のユニット。たとえば、ユニットは一部の回路、一部のプロセッサ、一部のプログラムやソフトウェアなどであってもよい）が存在することを排除するものではない。
【００１３】
たとえば、本願の実施例によるネットワークアクセス方法は、一連のステップを含むが、本願の実施例によるこのネットワークアクセス方法は、記載されたステップに限定されず、同様に、本実施例による端末は、一連のユニットを含むが、本実施例による端末は、明示的に記載されているユニットに限定されるものではなく、関連する情報を取得するため、又は情報に基づいて処理するために設置される必要があるユニットをさらに含むことができる。
【００１４】
なお、本願の実施例に係る用語「第１／第２」は、単に類似したオブジェクトを区別するものに過ぎず、オブジェクトの特定の順序付けを表すものではなく、「第１／第２」は、許容される場合、特定の順序又は優先順位を入れ替えることができることを理解できる。「第１／第２」で区別されたオブジェクトは、本願に記載された本願の実施例が本願に図示又は記載されたもの以外の順序で実施されることを可能にするために、適切な場合、交換されてもよいことが理解されるべきである。
【００１５】
図２は、本願の実施例を適用した適用シナリオの模式図であり、Ｃ−ＲＡＮネットワークアーキテクチャにおいて、集中処理、コラボレーティブラジオ、及びリアルタイムクラウドコンピューティングなどを融合したインフラストラクチャが含まれる。複数のアンテナユニット（ＲＦ）と、複数のＤＵと、複数のＣＵとを含む。複数のＲＦは４１１〜４１６で識別され、複数のＤＵは３１１〜３１２で識別され、複数のＣＵは２つのグループに分けられ、一方のグループは１１１〜１１２で識別され、他方のグループは２１１〜２１２で識別され、各グループはユーザレベル（ＣＵ−Ｕ）と制御レベル（ＣＵ−Ｃ）を含む。各ＲＦは、１つ又は複数の対応するＤＵを有することができ、このＤＵは、それに関連するすべてのＲＦに対応する個々のセルを配置することができる。図２のシステムエリア１（Ｓｙｓ  ａｒｅａ１）及びシステムエリア２（Ｓｙｓ  ａｒｅａ２）のように、同一ＤＵの下に配置されたセルをシステムエリア（Ｓｙｓｔｅｍ  Ａｒｅａ）と呼ぶ。ＤＵは、それにより配置されるシステムエリアの無線送受信を処理している。そのシステムエリアでは、ＤＵインスタンスは、波速度形成、電力、スペクトル、スケジューリング、及びリアルタイムＲＲＭの制御も行う。複数のＤＵインスタンスは１つのＣＵ−Ｕインスタンスに接続され得る。したがって、１つのＣＵ−Ｕインスタンスは、複数のＤＵに対応することができ、つまり、複数のシステムエリアにおけるユーザのデータ送受信を担当することができる。ＣＵ−Ｕは、ＮＧ−Ｕインタフェースの終了点として機能し、ユーザは、ＮＧ又はＸｎハンドオーバを行うことなく、ＣＵ−Ｕに含まれるセル内を自由に移動することができる。各ＣＵ−Ｃインスタンスは、複数のＤＵインスタンスを処理できる。このようにして、ＣＵ−Ｃはエリア全体を同一のエリアとして扱うことができる。この構造では、利用可能なすべてのＲＲＭ機能と組み合わせることで、ＲＲＭの協調効率及び同一システムエリアのスペクトル効率を向上させることができる。
【００１６】
図２のＣＵ／ＤＵアーキテクチャでは、ＣＵは、生成されたＣＵ−Ｃインスタンス及びＣＵ−Ｕインスタンスに対応する制御プレーン（ＣＰ、Ｃｏｎｔｒｏｌ  Ｐｌａｎｅ）及びユーザプレーン（ＵＰ、Ｕｓｅｒ  Ｐｌａｎｅ）に分けられる。１つのＣＵ−Ｕインスタンスは複数のＤＵに対応し、それにより、ユーザプレーンデータの負荷分散を実現し、負荷を均衡化することができる。１つのＤＵは複数のＣＵ−Ｃインスタンスに対応し、それにより、制御プレーンデータの負荷分散を実現し、負荷を均衡化することができ、図３に示すアーキテクチャ図では、６３で識別されるＤＵ２が５２で識別されるＣＵ２に接続されるように、１つのＤＵは１つ又は複数のＣＵに同時に接続され得る。ＣＵ１及びＣＵ２のようなＣＵのグループ（少なくとも２つのＣＵ）は、それぞれ４１で識別される５Ｇコアネットワークに接続されており、ＣＵと５Ｇコアネットワークとの間のインタフェースを介して、５ＧコアネットワークとＣＵとの間のシグナリングパラメータ及びデータ伝送を行うことができる。ここで、１つのＣＵは１つ又は複数のＤＵに同時に接続されてもよく、たとえば、ＣＵは６１〜６２で識別される複数のＤＵに接続される。
【００１７】
本願の実施例のＣＵ／ＤＵアーキテクチャでは、１つのＣＵは複数のＤＵに対応するが、１つのＤＵは複数のＣＵに対応することもあり、それにより、コストを増加させることなく上記のような負荷均衡化の問題などの複数の問題を解決でき、１つのＤＵに対応する複数のＣＵのうちあるアクセスソースＣＵが高負荷である場合、ＤＵを高負荷のこのソースＣＵからＤＵがアクセスされる別のＣＵに移行し、すなわち、ＤＵを高負荷のソースＣＵから低負荷のターゲットＣＵに移行することができ、このようにして、ＣＵ高負荷の問題を解決する。本願の実施例のＣＵ／ＤＵアーキテクチャは、負荷均衡化に加えて、セルの確立（又は活性化）、削除（又は非活性化）、セルのスムーズなアップグレードなどのシナリオにも適用可能である。
【００１８】
図４に、セルの確立（又は活性化）プロセスを示しており、ＤＵ２とＣＵ２との接続を例にして、ステップ１０１〜ステップ１０４を含む。
【００１９】
ステップ１０１、ＤＵ２は、Ｆ１インタフェース確立要求（Ｆ１  ＳＥＴＵＰ  ＲＥＱＵＥＳＴ）をＣＵ２に送信し、ＣＵ２がＦ１  ＳＥＴＵＰ  ＲＥＱＵＥＳＴを受信したか否かを判定し、受信した場合、ステップ１０２を実行し、受信しなかった場合、プロセスを終了する。
【００２０】
ステップ１０２、ＣＵ２がＦ１インタフェース確立応答（Ｆ１  ＳＥＴＵＰ  ＲＥＳＰＯＮＳＥ）をＤＵ２に送信したか否かを判定し、送信した場合、ステップ１０３を実行し、送信しなかった場合、プロセスを終了する。ＤＵ２は、ＣＵ２からＦ１  ＳＥＴＵＰ  ＲＥＳＰＯＮＳＥを受信した後、ＣＵの負荷情報を取得し、ＣＵの負荷情報と負荷閾値に基づいて負荷均衡化を行うか否かの決定を行う。
【００２１】
ステップ１０３、ＤＵ２は、セルを活性化（又は確立）する（ＧＮＢ−ＤＵ  ＣＯＮＦＩＧＵＲＡＴＩＯＮ  ＵＰＤＡＴＥ）ようにＣＵ２に要求する。ＣＵ２がＧＮＢ−ＤＵ  ＣＯＮＦＩＧＵＲＡＴＩＯＮ  ＵＰＤＡＴＥを受信したか否かを判定し、受信した場合、ステップ１０４を実行し、受信しなかった場合、プロセスを終了する。
【００２２】
ステップ１０４、ＣＵ２がセル活性化（又は確立）結果（ＧＮＢ−ＤＵ  ＣＯＮＦＩＧＵＲＡＴＩＯＮ  ＵＰＤＡＴＥ  ＡＣＫＮＯＷＬＥＤＧＥ）をＤＵ２に送信したか否かを判定し、送信した場合、プロセスを終了し、ＤＵ２はＣＵ２のＧＮＢ−ＤＵ  ＣＯＮＦＩＧＵＲＡＴＩＯＮ  ＵＰＤＡＴＥ  ＡＣＫＮＯＷＬＥＤＧＥを受信し、セルリソースを割り当て、セルを活性化（又は確立）する。
【００２３】
図５は、本願の実施例のベースバンド処理分離アーキテクチャにおける情報処理方法の模式的フローチャートであり、前記方法は、ステップ２０１とステップ２０２を含む。
【００２４】
ステップ２０１、ＤＵは、複数のＣＵの負荷情報を受信し、複数のＣＵの負荷情報に基づいて、複数のＣＵのうち、負荷が目標閾値よりも高い第１のＣＵと、負荷が目標閾値よりも低い第２のＣＵとを判定する。
【００２５】
目標閾値は、経験値に応じて予め設定された値であってもよいし、実際の状況に応じて算出されてＤＵに指示された値であってもよい。
【００２６】
ステップ２０２、ＤＵは、複数のＣＵ間で負荷を均衡化するために、第１のＣＵのセルデータを第１のＣＵから第２のＣＵに移行することを指示する制御シグナリングを、第１のＣＵ及び第２のＣＵにそれぞれ送信する。
【００２７】
一実施例では、第１のＣＵと第２のＣＵは互いに隣接ＣＵであり、第１のＣＵと第２のＣＵの両方がＤＵに接続され、第１のＣＵの負荷が目標閾値よりも高い場合、第１のＣＵは高負荷状態であり、第２のＣＵの負荷が目標閾値よりも低い場合、第２のＣＵは低負荷状態である。ＣＵ負荷の均衡化を考慮すると、第１のＣＵのセルデータを第１のＣＵから第２のＣＵに移行する必要がある。従来技術とは異なり、本願の実施例は、複数のＣＵ間で負荷を均衡化するために、ユーザではなくセルデータを移行し、隣接ＣＵ間でセルを粒度として負荷均衡化を行う。具体的には、ＤＵは、第１のＣＵに制御シグナリングを送信し、第１のＣＵにｍ個のセルを削除することを通知し、第１のＣＵは、ＤＵにｍ個のセルが削除されたことを通知する応答を返信し、ＤＵは、第２のＣＵに制御シグナリングを送信し、第２のＣＵにｍ個のセルが新たに追加されることを通知し、第２のＣＵは、ＤＵにｍ個のセルが新たに追加されており、新たに追加されたｍ個のセルでユーザをアクセスし続けることができることを通知する応答を返信する。
【００２８】
本願の実施例は、２つのＣＵ（第１のＣＵ及び第２のＣＵ）のうち第１のＣＵのみにデータが存在するシナリオ、又は第１のＣＵ及び第２のＣＵの両方にデータが存在するシナリオの両方に適用できる。セルデータの移行は、制御シグナリングによって指示され、たとえば、５個のセルを粒度として移行する場合、第１のＣＵには２０個のセルがあり、第２のＣＵには５個のセルがあり、第２のＣＵに５個のセルを移行することは、第２のＣＵ上の既存のセルには影響を与えず、第１のＣＵのみに影響を与え（第１のＣＵには５個のセルがなくなるため、負荷が低減される）、第２のＣＵは１０個のセルがあるようになる。
【００２９】
ＣＵの負荷情報は、ＤＵに直接指示されてもよいし、ＤＵが要求を開始した後、ＤＵにフィードバックされてもよい。具体的には、直接指示する場合は、ＤＵは、前記複数のＣＵの負荷情報を受信する前に、複数のＣＵからフィードバックされＣＵの負荷情報を含む負荷指示情報を受信する。要求を開始した後フィードバックする場合は、ＤＵは、前記複数のＣＵの負荷情報を受信する前に、要求を開始した後、複数のＣＵからフィードバックされＣＵの負荷情報を含む負荷指示情報を受信する。要求を開始した後フィードバックする別の場合は、ＤＵは、複数のＣＵの負荷情報を受信する前に、負荷要求メッセージを前記複数のＣＵに送信し、前記複数のＣＵからフィードバックされＣＵの負荷情報を含む負荷応答メッセージを受信する。
【００３０】
２つのＣＵ（第１のＣＵ及び第２のＣＵ）のうち第１のＣＵのみにデータが存在するシナリオ、又は、第１のＣＵと第２のＣＵの両方にデータが存在するシナリオでは、第１のＣＵのセルデータを前記第１のＣＵから前記第２のＣＵに移行することは、第１のＣＵのみにデータが存在し、第２のＣＵにデータが存在しない場合のデータの直接移行と、第１のＣＵと第２のＣＵの両方にデータが存在する場合のデータ更新後の移行の両方を含む。
【００３１】
一実施例では、第１のＣＵのセルデータを第１のＣＵから第２のＣＵに移行するステップは、ＤＵが第１のＣＵとの間でのみデータ伝送がある場合、第１のＣＵのセルデータを第１のＣＵから第２のＣＵに直接移行するステップを含む。
【００３２】
別の実施例では、第１のＣＵのセルデータを前記第１のＣＵから前記第２のＣＵに移行するステップは、ＤＵが第１のＣＵ及び前記第２のＣＵの両方とデータ伝送がある場合、前記第２のＣＵのデータ伝送が更新されてから、前記第１のＣＵのセルデータを前記第１のＣＵから前記第２のＣＵに移行するステップを含む。
【００３３】
実際の応用では、第１のＣＵのセルデータは、全体移行又は部分移行であってもよく、全体移行は、第１のＣＵのセルデータ中のすべてのセルを第２のＣＵに移行することであり、たとえば、第１のＣＵが１０個のセルを管轄しており、第１のＣＵが現在高負荷状態にある場合、これら１０個のセルはすべて第２のＣＵに移行し、第２のＣＵが現在５個のセルを管轄している場合、セルデータ移行後、第２のＣＵは１５個のセルを管轄するようになり、部分移行は、第１のＣＵのセルデータ中の指定された一部のセルを第２のＣＵに移行することであり、たとえば、第１のＣＵが１０個のセルを管轄しており、第１のＣＵが現在高負荷状態にある場合、５個のセルを第２のＣＵに移行することができ、第２のＣＵが現在５個のセルを管轄している場合、セルデータ移行後、第２のＣＵは１０個のセルを管轄するようになる。
【００３４】
一実施例では、ＤＵは、複数のＣＵの負荷情報に基づいて、複数のＣＵのうち、負荷が目標閾値よりも高い第１のＣＵと、負荷が前記目標閾値よりも低い第２のＣＵとを判定するステップは、前記複数のＣＵの負荷情報のうちの第１のＣＵの負荷情報が、負荷状態において目標閾値よりも高い負荷値を特徴付けるための第１の負荷閾値以上である場合、前記第１のＣＵは高負荷状態であるステップと、前記複数のＣＵの負荷情報のうちの第２のＣＵの負荷情報が、負荷状態において目標閾値よりも低い負荷値を特徴付けるための第２の負荷閾値よりも小さい場合、前記第２のＣＵは低負荷状態であるステップと、複数のＣＵ間で負荷を均衡化するために、第１のＣＵのセルデータを第１のＣＵから第２のＣＵに移行することを指示する制御シグナリングを第１のＣＵ及び第２のＣＵにそれぞれ送信するＤＵの作動をトリガするステップと、をさらに含む。
【００３５】
一実施例では、全ＵＥ数に対するＣＵのＵＥ数の割合、ＣＰＵ使用率、メモリ使用率、ストレージ使用率、帯域幅使用率、ＤＵのＵＥ数重み、ＣＰＵ使用率重み、メモリ使用率重み、ストレージ指標重み、帯域幅重みのうちの少なくとも１つに基づいてＣＵ平均負荷を取得する。このＣＵ平均負荷に基づいて、複数のＣＵ間で負荷を均衡化する必要があるか否かを判定し、複数のＣＵ間で負荷を均衡化する必要があると決定した場合、複数のＣＵ間で負荷を均衡化するために、第１のＣＵのセルデータを第１のＣＵから第２のＣＵに移行することを指示する制御シグナリングを第１のＣＵ及び第２のＣＵにそれぞれ送信するＤＵの動作をトリガする。
【００３６】
一実施例では、第１のＣＵのセルデータを第１のＣＵから第２のＣＵに移行した後、ＤＵは、移行により得られた新しいセルに新しいユーザにアクセスするように第２のＣＵに指示する。新しいユーザは、第１のＣＵ及び第２のＣＵのいずれも以前にアクセスしていないユーザである。ＤＵは、アクセスされた既存ユーザが第１のＣＵに存在しない場合（既存ユーザは、データ移行前に第１のＣＵに接続されていたユーザである）、第１のＣＵ上でセルデータの移行が完了したと判定し、セルデータの同期更新を第１のＣＵに通知する。本実施例は、スムーズなアップグレードのシナリオに適用できる。具体的には、第１のＣＵから移行した新しいセルの全部又は一部が、セルにユーザをアクセスするために、第２のＣＵ上で活性化される。新しいユーザは、活性化された新しいセルにアクセスされる。アクセスされた既存ユーザが第１のＣＵに存在しない場合、第１のＣＵをアップグレードさせ、セルデータの同期更新を行うようにＤＵを介して第１のＣＵに通知し、第１のＣＵのアップグレードを完了させる。たとえば、第１のＣＵから第２のＣＵに移行されるセルが５個であれば、新しいユーザが第２のＣＵにアクセスすることを確保するために、たとえば、新しいユーザがこれら５個のセルにすべてアクセスされる。第１のＣＵをアップグレードさせるためにユーザにアクセスしたくなくなるため、新しいユーザはＣＵ１にアクセスできない。
【００３７】
一実施例では、本願の実施例のベースバンド処理分離アーキテクチャにおける情報処理方法を実行する前に、電源投入時に以下のようなＣＵ設定パラメータ及びＤＵ設定パラメータを読み出し、ＣＵ設定パラメータ及びＤＵ設定パラメータに基づいて本情報処理方法の実行環境を構築するステップをさらに含む。ＣＵ設定パラメータ及びＤＵ設定パラメータの使用は、本情報処理方法のプロセスを実行する最初の段階であり、本情報処理方法のプロセスを実行するための前提条件である。これらの設定パラメータがなければ、ＤＵと複数のＣＵ間の接続を確立することができず、データ伝送を行うにはリンク接続が確立されなければならない。たとえば、設定パラメータは動的セル均衡化スイッチの設定であり、あるＣＵが負荷均衡化スケジューリングをサポートしていると理解することができ、サポートしている場合、本方法のプロセスを実行するにはこのスイッチ設定をオンにする必要がある。たとえば、設定パラメータがＣＵの優先度設定パラメータである場合、ＤＵに接続されているＣＵが複数あれば、ＤＵがどのＣＵと優先的にリンクを確立するかは、ＣＵの優先度設定パラメータに従って判定する。パラメータを設定すると、ＤＵの近くにどのＣＵがあるか、ＤＵがどのＣＵとリンクを確立するかは分かる。
【００３８】
ＣＵ設定パラメータには、動的セル均衡化スイッチの設定、ＣＵ動的セル均衡化トリガ方式の設定、Ｆ１インタフェースメッセージの負荷トリガ方式の設定、ＣＵ動的セル均衡化周期の設定のうちの少なくとも１つのパラメータが含まれる。
【００３９】
動的セル均衡化スイッチの設定については、負荷均衡化の前提条件として、ＣＵは動的セル均衡化スイッチの設定を読み出した後、負荷均衡化スイッチをオンにして負荷均衡化を開始する。本方法のプロセスを実行するには、このスイッチの設定をオンにする必要がある。
【００４０】
ＣＵ動的セル均衡化トリガ方式の設定には、周期トリガ又はイベントトリガが含まれるが、これらに限定されない。いずれのトリガ方式であっても、まず動的セル均衡化スイッチの設定に基づいて負荷均衡化スイッチがオンであるか否かを判断する必要があり、オンである場合は、本方法のプロセスを実行し、オフである場合は、本方法のプロセスを終了する。
【００４１】
Ｆ１インタフェースメッセージの負荷トリガ方式の設定には、ＣＵがＤＵに負荷指示メッセージ（ＣＵ  ＬＯＡＤ  ＩＮＦＯＲＭＡＴＩＯＮ  ＩＮＤＩＣＡＴＩＯＮ）を能動的に送信する場合と、ＣＵが負荷要求メッセージ（ＣＵ  ＬＯＡＤ  ＩＮＦＯＲＭＡＴＩＯＮ  ＲＥＱＵＥＳＴ）を受信した後、ＤＵに負荷応答メッセージ（ＣＵ  ＬＯＡＤ  ＩＮＦＯＲＭＡＴＩＯＮ  ＲＥＳＰＯＮＳＥ）を返信する場合と、が含まれる。能動的送信（ＣＵは、ＣＵ  ＬＯＡＤ  ＩＮＦＯＲＭＡＴＩＯＮ  ＩＮＤＩＣＡＴＩＯＮをＤＵに能動的に送信する）の場合、ＣＵ  ＬＯＡＤ  ＩＮＦＯＲＭＡＴＩＯＮ  ＩＮＤＩＣＡＴＩＯＮは、ＣＵ動的セル均衡化トリガ方式の設定（周期トリガ及びイベントトリガを含むが、これらに限定されない）に従ってＤＵに送信され、ＤＵは、ＣＵ  ＬＯＡＤ  ＩＮＦＯＲＭＡＴＩＯＮ  ＩＮＤＩＣＡＴＩＯＮに含まれたＣＵの負荷情報と目標閾値との比較に基づいて負荷均衡化処理を行う。
【００４２】
ＣＵ動的セル均衡化周期の設定については、Ｆ１インタフェースメッセージの負荷トリガ方式が、ＣＵがＤＵにＣＵ  ＬＯＡＤ  ＩＮＦＯＲＭＡＴＩＯＮ  ＩＮＤＩＣＡＴＩＯＮを能動的に送信するように構成されている場合に、この設定は有効となる。
【００４３】
上記設定パラメータの一例では、ＣＵ動的セル均衡化トリガ方式がイベントトリガである場合：
１、ＵＥをアクセスする際に、まず、動的セル均衡化スイッチの設定に基づいて負荷均衡化スイッチがオンであるか否かを判断し、スイッチがオンである場合、Ｆ１インタフェースメッセージの負荷トリガ方式の設定に基づいて、ＣＵはＣＵ  ＬＯＡＤ  ＩＮＦＯＲＭＡＴＩＯＮ  ＩＮＤＩＣＡＴＩＯＮをＤＵに能動的に送信し、つまり、ＣＵはメッセージＣＵ  ＬＯＡＤ  ＩＮＦＯＲＭＡＴＩＯＮ  ＩＮＤＩＣＡＴＩＯＮをＤＵに能動的に送信する。
２、ＵＥをアクセスする際に、まず、動的セル均衡化スイッチの設定に基づいて負荷均衡化スイッチがオンであるか否かを判断し、スイッチがオフである場合、プロセスを終了する。
３、ＵＥをアクセスする際に、まず、動的セル均衡化スイッチの設定に基づいて負荷均衡化スイッチがオンであるか否かを判断し、スイッチがオンである場合、Ｆ１インタフェースメッセージの負荷トリガ方式の設定に基づいて、ＣＵはＣＵ  ＬＯＡＤ  ＩＮＦＯＲＭＡＴＩＯＮ  ＲＥＱＵＥＳＴメッセージを受信した後、ＤＵにＣＵ  ＬＯＡＤ  ＩＮＦＯＲＭＡＴＩＯＮ  ＲＥＳＰＯＮＳＥ応答メッセージを返信し、プロセスを終了する。
【００４４】
上記設定パラメータの一例では、ＣＵ動的セル均衡化トリガ方式が周期トリガである場合：
１、電源を投入する際に、１つの周期タイマを起動して、周期タイマがタイムアウトすると、動的セル均衡化スイッチの設定に基づいて負荷均衡化スイッチがオンであるか否かを判断し、スイッチがオンである場合、Ｆ１インタフェースメッセージの負荷トリガ方式の設定に基づいて、ＣＵはＣＵ  ＬＯＡＤ  ＩＮＦＯＲＭＡＴＩＯＮ  ＩＮＤＩＣＡＴＩＯＮをＤＵに能動的に送信し、つまり、ＣＵはメッセージＣＵ  ＬＯＡＤ  ＩＮＦＯＲＭＡＴＩＯＮ  ＩＮＤＩＣＡＴＩＯＮをＤＵに能動的に送信する。
２、電源を投入する際に、１つの周期タイマを起動して、周期タイマがタイムアウトすると、動的セル均衡化スイッチの設定に基づいて負荷均衡化スイッチがオンであるか否かを判断し、スイッチがオフである場合、プロセスを終了する。
３、電源を投入する際に、１つの周期タイマを起動して、周期タイマがタイムアウトすると、動的セル均衡化スイッチの設定に基づいて負荷均衡化スイッチがオンであるか否かを判断し、スイッチがオンである場合、Ｆ１インタフェースメッセージの負荷トリガ方式の設定に基づいて、ＣＵはＣＵ  ＬＯＡＤ  ＩＮＦＯＲＭＡＴＩＯＮ  ＲＥＱＵＥＳＴメッセージを受信した後、ＤＵにＣＵ  ＬＯＡＤ  ＩＮＦＯＲＭＡＴＩＯＮ  ＲＥＳＰＯＮＳＥ応答メッセージを返信し、プロセスを終了する。
【００４５】
ＤＵ設定パラメータについては、ＤＵ動的セル均衡化スイッチの設定パラメータ、ＤＵに対応するＣＵ設定パラメータ、ＤＵ動的セル均衡化トリガ方式の設定パラメータ、ＤＵ動的セル均衡化周期の設定パラメータ、Ｆ１インタフェースメッセージの負荷トリガ方式の設定パラメータ、ＣＵの負荷情報応答送信方式の設定パラメータ、重み設定パラメータ、ＣＵの高負荷及び低負荷閾値の設定パラメータ、ＤＵに対応するＣＵの優先度設定パラメータのうちの少なくとも１つを含む。
【００４６】
ＤＵ動的セル均衡化スイッチの設定パラメータについては、負荷均衡化の前提条件として、ＤＵは動的セル均衡化スイッチの設定を読み出した後、負荷均衡化スイッチをオンにして負荷均衡化を開始する。本方法のプロセスを実行するには、このスイッチの設定をオンにする必要がある。
【００４７】
ＤＵに対応するＣＵ設定パラメータについては、負荷均衡化を行うには、そのＤＵに対応するＣＵ設定パラメータに基づいて、ＤＵごとに複数のＣＵを接続するように設定する必要があり、本方法のプロセスを実行するには、この設定を実行する必要がある。
【００４８】
ＤＵに対応するＣＵの優先度設定パラメータについては、ＤＵがＣＵ  ＬＯＡＤ  ＩＮＦＯＲＭＡＴＩＯＮ  ＲＥＳＰＯＮＳＥ、又はＤＵに送信したＣＵ  ＬＯＡＤ  ＩＮＦＯＲＭＡＴＩＯＮ  ＩＮＤＩＣＡＴＩＯＮを受信した後、その優先度設定パラメータに基づいて判断し、負荷均衡化の条件を満たすＣＵが複数ある場合、その優先度設定パラメータに基づいて最適な１グループの隣接ＣＵを選択して負荷均衡化を行う。たとえば、複数のＣＵ（ＣＵ１、ＣＵ２、ＣＵ３、ＣＵ４）のうちＣＵ１とＣＵ２の優先度が高く、ＣＵ１とＣＵ２が隣接ＣＵである場合、ＤＵはＣＵ１とＣＵ２の負荷均衡化のスケジューリングを行うことが好ましい。
【００４９】
平均負荷を算出するためのパラメータ重み設定には、ＵＥ数重み、ＣＰＵ使用率重み、メモリ使用率重み、ストレージ指標重み、帯域幅重みなどが含まれるが、これらに限定されない。ＤＵは、ＣＵ  ＬＯＡＤ  ＩＮＦＯＲＭＡＴＩＯＮ  ＲＥＳＰＯＮＳＥ、又はＤＵに送信したＣＵ  ＬＯＡＤ  ＩＮＦＯＲＭＡＴＩＯＮ  ＩＮＤＩＣＡＴＩＯＮを受信した後、この重み設定に基づいて負荷平均を算出し、負荷平均に基づいて複数のＣＵ間の負荷均衡化を行う必要があるか否かを判断する。
【００５０】
ＤＵ動的セル均衡化トリガ方式の設定パラメータには、周期トリガ又はイベントトリガが含まれるが、これらに限定されない。この設定パラメータは、ＤＵがどのような方式でＣＵ  ＬＯＡＤ  ＩＮＦＯＲＭＡＴＩＯＮ  ＲＥＱＵＥＳＴをＣＵに送信するかを指示することに使用される。
【００５１】
ＤＵ動的セル均衡化周期の設定パラメータについては、ＤＵ動的セル均衡化トリガ方式の設定パラメータが周期トリガである場合、本設定パラメータに従って周期を決定し、次に、その周期に従ってＣＵ  ＬＯＡＤ  ＩＮＦＯＲＭＡＴＩＯＮ  ＲＥＱＵＥＳＴをＣＵに送信するようＤＵに指示する。
【００５２】
Ｆ１インタフェースメッセージの負荷トリガ方式の設定パラメータについては、Ｆ１インタフェースメッセージの負荷トリガ方式の設定パラメータに基づいて、ＤＵがＣＵから送信したＣＵ  ＬＯＡＤ  ＩＮＦＯＲＭＡＴＩＯＮ  ＩＮＤＩＣＡＴＩＯＮを受動的に待つか、ＤＵがＣＵ  ＬＯＡＤ  ＩＮＦＯＲＭＡＴＩＯＮ  ＲＥＱＵＥＳＴメッセージをＣＵに能動的に送信するかを決定する。本トリガ方式の設定パラメータはＣＵ側の対応する設定パラメータと一致していなければならない。本トリガ方式の設定パラメータがＣＵから送信したＣＵ  ＬＯＡＤ  ＩＮＦＯＲＭＡＴＩＯＮ  ＩＮＤＩＣＡＴＩＯＮを受動的に待つことである場合は、ＤＵは能動的に負荷均衡化を行わず、そうでない場合は、ＤＵはＣＵ  ＬＯＡＤ  ＩＮＦＯＲＭＡＴＩＯＮ  ＲＥＱＵＥＳＴメッセージをＣＵに能動的に送信する。
【００５３】
ＣＵの高負荷及び低負荷閾値の設定については、ＤＵはＣＵ  ＬＯＡＤ  ＩＮＦＯＲＭＡＴＩＯＮ  ＲＥＳＰＯＮＳＥ、又はＤＵに送信したＣＵ  ＬＯＡＤ  ＩＮＦＯＲＭＡＴＩＯＮ  ＩＮＤＩＣＡＴＩＯＮを受信した後、ＣＵの負荷情報を得て、ＣＵの負荷情報と本閾値との比較に基づいて、負荷均衡化を行うか否かを判断する。
【００５４】
ＣＵ負荷情報応答送信方式の設定には、周期又はイベントが含まれるが、これらに限定されない。この設定がイベントである場合、１つのＣＵ  ＬＯＡＤ  ＩＮＦＯＲＭＡＴＩＯＮ  ＲＥＱＵＥＳＴごとに１つのＣＵ  ＬＯＡＤ  ＩＮＦＯＲＭＡＴＩＯＮ  ＲＥＳＰＯＮＳＥを受け取り、そうでない場合、１つのＣＵ  ＬＯＡＤ  ＩＮＦＯＲＭＡＴＩＯＮ  ＲＥＱＵＥＳＴごとに複数のＣＵ  ＬＯＡＤ  ＩＮＦＯＲＭＡＴＩＯＮ  ＲＥＳＰＯＮＳＥを受け取る。
【００５５】
一実施例では、ＣＵが要求を受動的に開始するシナリオでは、第２のＤＵは、複数のＣＵのうちの第１のＣＵ及び第２のＣＵに接続され、第１のＣＵは、前記第２のＤＵが送信した第１の負荷要求メッセージを受信し、第１のＣＵの負荷情報を含む第１の負荷応答メッセージを前記第２のＤＵに送信し、第２のＣＵは、前記第２のＤＵが送信した第２の負荷要求メッセージを受信し、第２のＣＵの負荷情報を含む第２の負荷応答メッセージを前記第２のＤＵに送信する。前記第１のＣＵの負荷情報及び前記第２のＣＵの負荷情報に基づいて、現在ＣＵ高負荷状態であることが判明した場合、前記第１のＣＵ及び前記第２のＣＵは、前記第２のＤＵのスケジューリングを受けて、第１のＣＵのセルデータを第１のＣＵから第２のＣＵに移行することで、複数のＣＵ間で負荷を均衡化する。
【００５６】
本明細書では、負荷応答メッセージに含まれた情報は、ＣＵ負荷値を含むことができる。負荷応答メッセージには一つのＣＵ負荷値を含むことができ、つまり、ＣＵが自ＣＵの負荷を含み、負荷応答メッセージには複数のＣＵ負荷値を含むこともでき、これについては詳しく説明しない。
【００５７】
一実施例では、ＣＵが要求を能動的に開始するシナリオでは、第２のＤＵは、複数のＣＵのうちの第１のＣＵ及び第２のＣＵに接続され、第１のＣＵは、第１のＣＵの負荷情報を含む第１の負荷指示メッセージを前記第２のＤＵに送信し、第２のＣＵは、第２のＣＵの負荷情報を含む第２の負荷指示メッセージを前記第２のＤＵに送信する。前記第１のＣＵの負荷情報及び前記第２のＣＵの負荷情報に基づいて、現在ＣＵ高負荷状態であることが判明した場合、前記第１のＣＵ及び前記第２のＣＵは、前記第２のＤＵのスケジューリングを受けて、第１のＣＵのセルデータを第１のＣＵから第２のＣＵに移行することで、複数のＣＵ間で負荷を均衡化する。
【００５８】
図１に示すＣＵ／ＤＵアーキテクチャでは、１つのＣＵは複数のＤＵに対応し、１つのＤＵは１つのＣＵのみに対応する。ＣＵはＣＰとＵＰに分けることができ、ＵＰについては、現在のプロトコルは、１つのＤＵが複数のＣＵ−ＵＰに対応するアーキテクチャを実現しており、このアーキテクチャは、ユーザプレーンデータの負荷分散を実現している。ただし、ＣＰについては、１つのＤＵが１つのＣＵのみに対応するＣＵ−ＣＰアーキテクチャ（図１では、第３のＤＵ３３が第２のＣＵ２２のみに対応するＣＰ）がまだ採用されている場合、制御プレーンのシグナリング送信には問題が生じ、少なくとも以下の問題がある。
１、ホットスポットのＣＵ−ＣＰには潮汐効果が存在し、トラフィックの高い時点でＣＵ−ＣＰの高負荷を招き、高負荷は、アクセス成功率、ハンドオーバ成功率、コールドロップ率の深刻な低下を招き、ユーザーの感知や事業者の運営・維持に大きな影響を与える。
２、ホットスポットのＣＵ−ＣＰでは、トラフィックの低い時点でＣＵ−ＣＰ低負荷を招き、リソースが無駄になる。
３、５Ｇはまた仮想化技術を提案しており、５Ｇの仮想化技術はリソースの無駄の問題を解決しているが、単一のＣＵ−ＣＰリソースに制限されており、ＣＵ−ＣＰのリソースの高負荷の問題を根本的に解決していない。
【００５９】
ＣＵ−ＣＰの高負荷についての解決策として、容量拡張メカニズムを使用すると、コストが増加する。本願の実施例では、ＣＰについては、１つのＤＵが少なくとも１グループのＣＵに対応するＣＵ−ＣＰアーキテクチャが採用される。この場合、１つのＣＵは複数のＤＵに対応し、１つのＤＵも複数のＣＵに対応する。ＤＵは、リソースに応じてＣＵ−ＣＰの解決策を動的に選択することができるので、コストを増加させることなくＣＵ−ＣＰの高負荷の問題を解決する。
【００６０】
具体的には、既存の状況では、ＣＰについては、１つのＤＵが１つのＣＵに対応しているため、配備されたＣＵは伸縮可能であるが、ＣＵの伸縮能力はハードウェアリソースにより限定され、ＣＵ側のハードウェアリソースが不足している場合にはその実現には容量拡張が必要であり、また、ＣＵからのリソースがある程度に達した場合、ＣＰＵ使用率などのシステムの性能に大きな影響を与えることになる。一方、本願の実施例によれば、システムはＣＵ側のハードウェアリソースにより制限されることはなく、ＣＵ側のリソース利用率を合理的に調整し、ネットワーク全体の性能を向上させることができる。実行中にＤＵがＣＵについて負荷を動的に均衡化し、最適な方法でＣＵを装備すること、高い信頼性、低い遅延、負荷の均等配分の原則をできるだけ満たすこと、ユーザーのエクスペリエンスを向上させ、コールドロップを減らし、通信品質を向上させることができる。
【００６１】
１つのＤＵが複数のＣＵに対応する場合（すなわち、ＣＵには隣接ＣＵが配置される場合）、隣接ＣＵ内でセルを粒度として負荷均衡化を行う一例において、ＤＵに対応するＣＵのうち、少なくとも１つのＣＵが高負荷（ビジー）であり、少なくとも１つのＣＵが低負荷（アイドル）である場合、図３に示すように、高負荷ＣＵの下のアイドルセルを低負荷ＣＵの下に均衡化させることができる。図３には、第２のＤＵ３２に対応する第１のＣＵ２１が高負荷であり、第２のＤＵ３２に対応する第２のＣＵ２２が低負荷であると仮定すれば、本願の実施例を使用して、ＣＵ間で負荷均衡化を行うと（移行粒度がセルである）、第２のＤＵ３２の第１のＣＵ２１の下の非活性（又はアイドル）セルの一部又は全部を第２のＣＵ２２の下に均衡化し、つまり、隣接ＣＵ内でセルを粒度として負荷均衡化を行うことができる。
【００６２】
本願の実施例のベースバンド処理分離アーキテクチャにおける情報処理方法は、１つのＣＵが複数のＤＵに対応し、１つのＤＵが複数のＣＵに対応する場合に適用される場合、図６に示すように、ステップ３０１〜ステップ３０３を含む。
ステップ３０１、複数のＣＵは、ＣＵの負荷情報を含む負荷指示メッセージをＤＵに送信する。
ステップ３０２、ＤＵは、ＣＵの負荷情報と目標閾値との比較に基づいて、負荷を均衡化する必要があると判定する。
ステップ３０３、複数のＣＵは、ＤＵのスケジューリングを受けて、セルデータを、負荷が目標閾値よりも高い高負荷ＣＵから、負荷が目標閾値よりも低い低負荷ＣＵに移行することで、複数のＣＵ間で負荷を均衡化する。
【００６３】
一実施例では、前記方法は、ＣＵの平均負荷に基づいて、複数のＣＵ間で負荷を均衡化する必要があるか否かを判定し（たとえば、平均負荷を負荷閾値と比較して決定する）、複数のＣＵ間で負荷を均衡化する必要があると決定した場合、複数のＣＵ間で負荷を均衡化するために、第１のＣＵのセルデータを第１のＣＵから第２のＣＵに移行することを指示する制御シグナリングを第１のＣＵ及び第２のＣＵにそれぞれ送信するＤＵの動作をトリガするステップをさらに含む。
【００６４】
この平均負荷は、次のように算出される。
１、全ＵＥ数に対するＣＵのＵＥ数の割合、ＣＰＵ使用率、メモリ使用率、ストレージ使用率、帯域使用率を取得する。
２、バックグラウンドで設定されたＤＵのＵＥ数重み、ＣＰＵ使用率重み、メモリ使用率重み、ストレージ指標重み、帯域幅重みを取得する。
３、次の計算式を使用して、平均負荷を算出する。
平均負荷＝（ＤＵのＵＥ数重み＊全ＵＥ数に対するＣＵのＵＥ数の割合＋ＣＰＵ使用率重み＊ＣＰＵ使用率＋メモリ使用率重み＊メモリ使用率＋ストレージ指標重み＊ストレージ使用率＋帯域幅重み＊帯域幅使用率）＊１００。
【００６５】
上記した実施例及び任意の実施形態を実現するための、本願の実施例に係るベースバンド処理分離アーキテクチャにおける情報処理装置において説明したものについては、詳しく説明しない。以下で使用されるように、用語「モジュール」は、所定の機能を実現できるソフトウェア及び／又はハードウェアの組み合わせである。以下の実施例で説明される装置は、ソフトウェアで実現されることが望ましいが、ハードウェア、又はソフトウェアとハードウェアの組み合わせの実現も考えられる。
【００６６】
本願の実施例のベースバンド処理分離アーキテクチャにおける情報処理装置は、図７に示すように、複数の集中ユニットＣＵの負荷情報を受信し、前記複数のＣＵの負荷情報に基づいて、複数のＣＵのうち、負荷が目標閾値よりも高い第１のＣＵと、負荷が目標閾値よりも低い第２のＣＵとを判定するように構成されている負荷判定部７１と、複数のＣＵ間で負荷を均衡化するために、第１のＣＵのセルデータを前記第１のＣＵから前記第２のＣＵに移行することを指示する制御シグナリングを前記第１のＣＵ及び前記第２のＣＵにそれぞれ送信するように構成されている均衡化処理部７２と、を備える。
【００６７】
一実施例では、前記装置は、前記複数のＣＵからフィードバックされ前記ＣＵの負荷情報を含む負荷指示情報を受信するように構成されている受信部をさらに備える。
【００６８】
一実施例では、前記均衡化処理部は、さらに、前記ＤＵが前記第１のＣＵとの間でのみデータ伝送がある場合、前記第１のＣＵのセルデータを前記第１のＣＵから前記第２のＣＵに直接移行するように構成されている。
【００６９】
一実施例では、前記均衡化処理部は、さらに、前記ＤＵが前記第１のＣＵ及び前記第２のＣＵの両方とデータ伝送がある場合、前記第２のＣＵのデータ伝送が更新されてから、前記第１のＣＵのセルデータを前記第１のＣＵから前記第２のＣＵに移行するように構成されている。
【００７０】
一実施例では、前記負荷判定部は、さらに、前記複数のＣＵの負荷情報のうちの第１のＣＵの負荷情報が、負荷状態において前記目標閾値よりも高い負荷値を特徴付けるための第１の負荷閾値以上である場合、前記第１のＣＵは高負荷状態にあり、前記複数のＣＵの負荷情報のうちの第２のＣＵの負荷情報が、負荷状態において前記目標閾値よりも低い負荷値を特徴付けるための第２の負荷閾値よりも小さい場合、前記第２のＣＵは低負荷状態であり、制御シグナリングを前記第１のＣＵ及び前記第２のＣＵにそれぞれ送信する動作をトリガするように構成されている。
【００７１】
一実施例では、前記装置は、全ＵＥ数に対するＣＵのＵＥ数の割合、ＣＰＵ使用率、メモリ使用率、ストレージ使用率、帯域幅使用率、ＤＵのＵＥ数重み、ＣＰＵ使用率重み、メモリ使用率重み、ストレージ指標重み、帯域幅重みのうちの少なくとも１つに基づいてＣＵ平均負荷を取得するように構成されている平均負荷算出部と、前記ＣＵ平均負荷に基づいて、複数のＣＵ間で負荷均衡化が必要であるか否かを判定するように構成されている負荷均衡化決定部と、をさらに備える。
【００７２】
一実施例では、前記装置は、移行によって得られた新しいセルに新しいユーザをアクセスするように第２のＣＵに指示するように構成されている指示部と、アクセスされた既存ユーザが前記第１のＣＵに存在しない場合、前記第１のＣＵのセルデータの移行が完了したと判定し、セルデータの同期更新を行う旨を前記第１のＣＵに通知する更新通知部と、をさらに備える。
【００７３】
本願の実施例のＣＵの動的選択装置であって、前記装置は、コンピュータプログラムが記憶されたメモリと、前記コンピュータプログラムを実行すると、上記実施例のいずれか１項に記載の方法のステップを実現するように構成されているプロセッサと、を備える。
【００７４】
本願の実施例のＣＵの動的選択装置であって、図８に示すように、該装置４１０は、プロセッサ９１と、プロセッサ上で実行可能なコンピュータプログラムを記憶するためのメモリ９２とを備える。もちろん、実際に使用する場合、該装置４１０は、図９に示すように、少なくとも１つの通信インタフェース９３をさらに備えてもよい。該装置４１０内の各コンポーネントは、バスシステム９４を介して互いに結合されている。なお、バスシステム９４は、これらのコンポーネント間の接続・通信に用いられる。バスシステム９４は、データバスに加えて、電源バス、制御バス、及び状態信号バスを含む。しかしながら、明確に説明するために、図９には、様々なバスはバスシステム９４として示されている。ここで、通信インタフェース９３は、他の機器とインタラクションするためのものである。
【００７５】
なお、メモリ９２は、揮発性メモリ又は不揮発性メモリであってもよく、揮発性メモリ及び不揮発性メモリの両方を含んでもよい。ここで、不揮発性メモリは、読み出し専用メモリ（ＲＯＭ、Ｒｅａｄ  Ｏｎｌｙ  Ｍｅｍｏｒｙ）、プログラマブル読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能プログラマブル読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラマブル読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ（登録商標）、ｆｅｒｒｏｍａｇｎｅｔｉｃ  ｒａｎｄｏｍ  ａｃｃｅｓｓ  Ｍｅｍｏｒｙ）、フラッシュメモリ（Ｆｌａｓｈ  Ｍｅｍｏｒｙ）、磁気表面メモリ、光ディスク、又は読み出し専用光ディスク（ＣＤ−ＲＯＭ、Ｃｏｍｐａｃｔ  Ｄｉｓｃ  Ｒｅａｄ−Ｏｎｌｙ  Ｍｅｍｏｒｙ）であってもよく、磁気表面メモリは、磁気ディスクメモリ又は磁気テープメモリであってもよい。揮発性メモリは、外部キャッシュとして使用されるランダムアクセスメモリ（ＲＡＭ、Ｒａｎｄｏｍ  Ａｃｃｅｓｓ  Ｍｅｍｏｒｙ）であってもよい。例示的であるが限定的ではない説明としては、たとえば、静的ランダムアクセスメモリ（ＳＲＡＭ、Ｓｔａｔｉｃ  Ｒａｎｄｏｍ  Ａｃｃｅｓｓ  Ｍｅｍｏｒｙ）、同期静的ランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、同期ダイナミックランダムアクセスもメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期ダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、強化された同期動的ランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、シンクリンクダイナミックランダムアクセスもメモリ（ＳＬＤＲＡＭ、ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）など、多くの種類のＲＡＭが使用可能である。本願の実施例で説明されるメモリ４２は、これら及び任意の他の適切なタイプのメモリを含むが、これらに限定されないことを意図している。
【００７６】
本願の実施例では、上記方法の前記ステップを達成するために、上記実施例に係るコンピュータプログラムを記憶するコンピュータ読み取り可能な記憶媒体も提供される。コンピュータ読み取り可能な記憶媒体は、ＦＲＡＭ、ＲＯＭ、ＰＲＯＭ、ＥＰＲＯＭ、ＥＥＰＲＯＭ、フラッシュメモリ、磁気表面メモリ、光ディスクやＣＤ−ＲＯＭなどのメモリであってもよく、上記のメモリの１つ又は任意の組み合わせを含む様々な機器であってもよい。
なお、本願の実施例に記載された技術案は、矛盾しない限り、任意に組み合わせることができる。
【００７７】
以下、図面を参照しながら、本願の任意の実施例を詳細に説明する。
【００７８】
本明細書において、ＣＵは特にＣＵ−ＣＰを指し、本実施例では、ＤＵはリソースに応じてＣＵを動的に選択する形態は、１つのＤＵが複数のＣＵ−ＣＰに対応する場合に、ＤＵがＣＵ−ＣＰを動的に選択する技術である。図３に示すように、第２のＤＵ３２が第１のＣＵ２１及び第２のＣＵ２２の下に同時に属する場合、第１のＣＵ２１及び第２のＣＵ２２は隣接ＣＵとなり、ＣＵ間の隣接関係は設定によって決定され、隣接ＣＵの設定はセル動的均衡化処理の解決策の基礎となる。第２のＤＵ３２が、第１のＣＵ２１及び第２のＣＵ２２の下に同時に属する場合、複数のＣＵ及びＤＵが交差接続される。第１のＣＵ２１が高負荷状態であり、第２のＣＵ２２が低負荷状態である場合、セルデータをソースＣＵからターゲットＣＵに移行するために、第１のＣＵ２１をソースＣＵとし、第２のＣＵ２２をターゲットＣＵとすることができる。以下の説明では、第１のＣＵをＣＵ１、第２のＣＵをＣＵ２、第２のＤＵをＤＵ２と記す。
【００７９】
ＤＵ２に対応するＣＵ１が高負荷（ビジー）であり、ＤＵ２に対応するＣＵ２が低負荷（アイドル）であると仮定すれば、本方法のプロセスを使用して、ＤＵ２におけるＣＵ１の下の非活性（又はアイドル）セルの一部又は全部をＣＵ２の下に均衡化することができ、すなわち、隣接ＣＵ内でセルを粒度として負荷均衡化を行うことができる。
【００８０】
図３のＣＵ−ＣＰの新しいアーキテクチャに基づくセル活性化（又は確立）のプロセスは図４に示されており、以上、例を挙げて説明したため、ここでは詳しく説明しない。
【００８１】
本形態は、図９に示すように、以下の装置又は機器を含むが、これらに限定されない。バックグラウンド、ＣＵ、及びＤＵが含まれる。これらのうち、
バックグラウンドには、次のモジュールが含まれる。
１）ＣＵ設定モジュール
動的セル均衡化処理においてＣＵによって必要とされる関連パラメータを設定し、このような関連パラメータには、以下が含まれるが、これらに限定されない。
ＣＵ動的セル均衡化スイッチの設定パラメータ
ＣＵの基本設定パラメータ
ＣＵ内のＤＵ設定パラメータ
ＣＵ算出負荷の重み設定パラメータ
ＣＵ動的セル均衡化トリガ方式の設定パラメータ
ＣＵ動的セル均衡化周期の設定パラメータ
Ｆ１インタフェースメッセージの負荷トリガ方式の設定パラメータ。
２）ＤＵ設定モジュール
動的セル均衡化においてＤＵによって必要とされる関連パラメータを設定し、このような関連パラメータには、以下が含まれるが、これらに限定されない。
ＤＵ動的セル均衡化スイッチの設定パラメータ
ＤＵの基本設定パラメータ
ＤＵの第２のＣＵの設定パラメータ
ＤＵの第２のＣＵの優先度設定パラメータ
ＤＵ動的セル均衡化トリガ方式の設定パラメータ
ＤＵ動的セル均衡化周期の設定パラメータ
Ｆ１インタフェースメッセージの負荷トリガ方式の設定パラメータ
ＤＵ動的セル均衡化タイマの設定
ＣＵの高負荷及び低負荷閾値の設定。
ＣＵの場合、ＣＵは主に次の４つのシナリオを処理する。
【００８２】
１、ＤＵから負荷要求メッセージを受信し、トリガタイプはイベント型である。
（１）ＣＵはＤＵから負荷要求メッセージを受信し、その中の応答メッセージタイプを取得する。
（２）ＣＵ負荷値を算出する。
（３）ＣＵは、負荷値を含む負荷応答メッセージをＤＵに送信する。
【００８３】
２、ＤＵから負荷要求メッセージを受信し、トリガタイプは周期である。
（１）ＣＵはＤＵから負荷要求メッセージを受信し、負荷要求メッセージ中の応答タイプと周期パラメータを取得する。
（２）ＣＵ負荷値を算出する。
（３）ＣＵは、負荷値を含む負荷応答メッセージをＤＵに送信する。
（４）（２）と（３）を１周期時間おきに繰り返して実行する。
【００８４】
３、負荷指示メッセージをＤＵに送信し、トリガタイプは周期である。
（１）ＣＵ負荷値を算出する。
（２）負荷値を含む負荷応答メッセージをＤＵに送信する。
（３）（１）と（２）を１周期時間おきに繰り返して実行する。
【００８５】
４、ＤＵからセル設定メッセージを受信する。
（１）セル活性化（又は確立）又は非活性化（又は削除）プロセスを実行し、セル活性化（又は確立）又は非活性化（又は削除）動作の実行が完了した後、セル設定応答メッセージを返信する。
【００８６】
ＤＵの場合、ＤＵは主に次の３つのシナリオを処理する。
【００８７】
１、ＣＵから負荷指示メッセージを受信する。
（１）ＣＵから負荷指示メッセージを受信し、負荷値を保存する。
（２）Ｎグループの負荷値に基づいてセル均衡化が必要であるか否かを決定する。
【００８８】
２、ＤＵは、イベントタイプの負荷要求メッセージをＣＵに能動的に送信する。
（１）ＤＵは、負荷要求メッセージをＣＵに能動的に送信する。
（２）ＤＵは、負荷値を含む負荷応答メッセージを受信する。
（３）ＤＵは、負荷値に基づいてセル均衡化が必要であるか否かを決定する。
【００８９】
３、ＤＵは、周期的な負荷要求メッセージをＣＵに能動的に送信する。
（１）ＤＵは、負荷要求メッセージをＣＵに能動的に送信する。
（２）ＤＵは、負荷応答メッセージを受信し、負荷値を保存する。
（３）ＤＵは、Ｎグループの負荷値に基づいてセル均衡化が必要であるか否かを決定する。
【００９０】
ＤＵは、また、ＣＵ−ＣＰのスムーズなアップグレード（スムーズなアップグレードの機能）及び、単一セルがマルチＣＵに接続されるシナリオをサポートする。
【００９１】
本実施例に係るＦ１インタフェースメッセージは、１、ＣＵ  ＬＯＡＤ  ＩＮＦＯＲＭＡＴＩＯＮ  ＲＥＱＵＥＳＴ；２、ＣＵ  ＬＯＡＤ  ＩＮＦＯＲＭＡＴＩＯＮ  ＲＥＳＰＯＮＳＥ；３、ＣＵ  ＬＯＡＤ  ＩＮＦＯＲＭＡＴＩＯＮ  ＩＮＤＩＣＡＴＩＯＮを含む。
マルチＣＵのシナリオでは、ＤＵの動的適応過程（つまり、負荷均衡化過程）が実現される。
【００９２】
マルチＣＵのシナリオでは、ＤＵとＣＵ−ＣＰの設定が実現される。
【００９３】
マルチＣＵのシナリオでは、ＣＵのスムーズなアップグレードの過程が実現される。
【００９４】
単一セルがマルチＣＵ−ＣＰに接続されるシナリオをサポートする（単一セルのユーザベースのマルチＣＵ−ＣＰ接続をサポートする）。
【００９５】
図３に示すように、ＣＵ１及びＣＵ２が存在し、ＣＵ１の下にＤＵ１−１及びＤＵ１−２が存在し、ＣＵ２の下にＤＵ２が存在し、また、ＣＵ１の下にはＤＵ２も存在し、ＤＵ２は動的セル均衡化機能を開始することを可能にする。イベントトリガのタイミングは、ＵＥがアクセス又は解放されたとき、又はセルが活性化（又は確立）されたとき、非活性化（又は削除）されたときを含むが、これらに限定されない。周期トリガのタイミングは、ＵＥがアクセス又は解放されたとき、又はセルが活性化（又は確立）されたとき、非活性化（又は削除）されたときを含むが、これらに限定されない。
【００９６】
１、例１（Ｆ１インタフェースプロトコルメッセージ）
関連するプロトコル情報（Ｆ１インタフェースメッセージ。以下のように合意しているが、唯一の解決形態ではない）
ＤＵがＣＵ−ＣＰ負荷を取得する際には、命名方式は、ＣＵの負荷情報要求（ＣＵ  ＬＯＡＤ  ＩＮＦＯＲＭＡＴＩＯＮ  ＲＥＱＵＥＳＴ）を含むが、これらに限定されない。
【００９７】
【表１】
2021525042.tif 000003
【００９８】
表１のＩＥ／Ｇｒｏｕｐ  ＮａｍｅにおけるＰｅｒｉｏｄは、Ｌｏａｄ  Ｂａｌａｎｃｅ  Ｍｏｄｅが２の場合にのみ記入する。ＩＥ  ｔｙｐｅ  ａｎｄ  ｒｅｆｅｒｅｎｃｅにおける９．３．１．１などは３ＧＰＰ  ＴＳ  ３８．４７３に対応する９．３．１．１節を指し、その他は類似している。
ＣＵ−ＣＰアーキテクチャでは、自身の負荷をＤＵに通知する過程において、命名方式は、ＣＵの負荷情報応答（ＣＵ  ＬＯＡＤ  ＩＮＦＯＲＭＡＴＩＯＮ  ＲＥＳＰＯＮＳＥ）を含むが、これらに限定されない。
【００９９】
【表２】
2021525042.tif 000004
【０１００】
ＣＵ−ＣＰアーキテクチャでは、自身の負荷をＤＵに能動的に通知する過程において、命名方式は、ＣＵの負荷情報指示（ＣＵ  ＬＯＡＤ  ＩＮＦＯＲＭＡＴＩＯＮ  ＩＮＤＩＣＡＴＩＯＮ）を含むが、これらに限定されない。
【０１０１】
【表３】
2021525042.tif 000005
【０１０２】
【表４】
2021525042.tif 000006
【０１０３】
【表５】
2021525042.tif 000007
【０１０４】
【表６】
2021525042.tif 000008
【０１０５】
【表７】
2021525042.tif 000009
【０１０６】
例２（Ｆ１インターフェイスプロトコルのインタラクション過程１：ＣＵはＤＵによって能動的に送信された負荷要求メッセージを受信し、ＣＵは周期的に負荷応答メッセージをＤＵに返信する）は、図１０に示すように、ステップ５０１〜ステップ５０３を含む。
ステップ５０１、周期トリガのタイミングが到来すると、ＤＵは負荷要求メッセージを送信し、ＣＵはＤＵの負荷要求メッセージを受信し、負荷応答メッセージの周期の長さを保存する。
ステップ５０２、ＣＵは負荷値を算出し、具体的には、全ＵＥ数に対するＣＵのＵＥ数の割合、ＣＰＵ使用率、メモリ使用率、ストレージ使用率、及び帯域幅使用率を算出することを含むが、これらに限定されない。
ステップ５０３、ＣＵは、「ＣＵの負荷情報応答」というメッセージを介して、負荷値をＤＵに送信する。
上記ステップ５０２〜５０３は、一定時間（応答メッセージの周期だけ）ごとに繰り返される。
【０１０７】
例３（Ｆ１インタフェースプロトコルのインタラクション過程２：ＣＵは負荷指示メッセージを能動的かつ周期的に送信する）は、図１１に示すように、ステップ６０１と、ステップ６０２を含む。
ステップ６０１、周期トリガのタイミングが到来すると、ＣＵは負荷値を算出する。
算出方法には、次の方法が含まれるが、これらに制限されない。
ａ）全ＵＥ数に対するＣＵのＵＥ数の割合を算出し、ＣＰＵ使用率、メモリ使用率、ストレージ使用率、帯域幅使用率を取得する。
ｂ）バックグラウンドで設定されたＤＵのＵＥ数重み、ＣＰＵ使用率重み、メモリ使用率重み、ストレージ指標重み、帯域幅重みを取得する。
ｃ）計算式は、負荷値＝（ＤＵのＵＥ数重み＊全ＵＥ数に対するＣＵのＵＥ数の割合＋ＣＰＵ使用率重み＊ＣＰＵ使用率＋メモリ使用率重み＊メモリ使用率＋ストレージ指標重み＊ストレージ使用率＋帯域幅重み＊帯域幅使用率）＊１００である。
ステップ６０２、ＣＵ１は、「ＣＵの負荷情報指示」メッセージをＤＵに送信する。
ＣＵは、ステップ６０１〜６０２を一定時間（バックグラウンドで設定されたＣＵ動的セル均衡化周期の設定）ごとに繰り返される。
【０１０８】
例４（Ｆ１インタフェースプロトコルのインタラクション過程３：ＣＵはＤＵによって能動的に送信された負荷要求メッセージを受信し、ＣＵはＤＵに負荷応答メッセージを１回返信する）は、以下の内容を含む。
１、イベントトリガのタイミングが到来すると、ＤＵは負荷要求メッセージを送信する。
２、ＣＵはＤＵの負荷要求メッセージを受信する。
３、ＣＵは負荷値を算出する。
算出方法には、次の方法が含まれるが、これらに制限されない。
ａ）全ＵＥ数に対するＣＵのＵＥ数の割合を算出し、ＣＰＵ使用率、メモリ使用率、ストレージ使用率、帯域幅使用率を取得する。
ｂ）バックグラウンドで設定されたＤＵのＵＥ数重み、ＣＰＵ使用率重み、メモリ使用率重み、ストレージ指標重み、帯域幅重みを取得する
ｃ）計算式は、負荷値＝（ＤＵのＵＥ数重み＊全ＵＥ数に対するＣＵのＵＥ数の割合＋ＣＰＵ使用率重み＊ＣＰＵ使用率＋メモリ使用率重み＊メモリ使用率＋ストレージ指標重み＊ストレージ使用率＋帯域幅重み＊帯域幅使用率）＊１００である。
４、ＣＵは「ＣＵの負荷情報応答」というメッセージを介して負荷値をＤＵに送信する。
【０１０９】
例５（Ｆ１インタフェースプロトコルのインタラクション過程４：ＣＵは負荷指示メッセージを能動的に１回送信する）は、以下の内容を含む。
１．イベントトリガのタイミングが到来すると、ＣＵは負荷値を算出する。ＣＵは、負荷値を算出し、それは、ＣＰＵ使用率、メモリ使用率、ストレージ使用率、帯域幅使用率などを算出することを含むが、これらに限定されない。
２、ＣＵ１は、「ＣＵの負荷情報指示」メッセージをＤＵに送信する。
【０１１０】
例６（ＣＵ設定過程）は、以下の内容を含む。
１、設定パラメータを取得し、具体的には、動的セル均衡化スイッチの設定、ＣＵ設定、ＣＵ内のＤＵ設定、ＣＵ動的セル均衡化トリガ方式の設定（周期トリガ及びイベントトリガを含むが、これらに限定されない）、Ｆ１インタフェースメッセージの負荷トリガ方式の設定（ＣＵはＣＵ  ＬＯＡＤ  ＩＮＦＯＲＭＡＴＩＯＮ  ＩＮＤＩＣＡＴＩＯＮをＤＵに能動的に送信するか、又は、ＣＵはＣＵ  ＬＯＡＤ  ＩＮＦＯＲＭＡＴＩＯＮ  ＲＥＱＵＥＳＴメッセージを受信して、ＣＵ  ＬＯＡＤ  ＩＮＦＯＲＭＡＴＩＯＮ  ＲＥＳＰＯＮＳＥ応答メッセージをＤＵに返信する）、ＣＵ動的セル均衡化周期の設定（ＣＵがＣＵ  ＬＯＡＤ  ＩＮＦＯＲＭＡＴＩＯＮ  ＩＮＤＩＣＡＴＩＯＮをＤＵに能動的に送信するようにＦ１インタフェースメッセージの負荷トリガ方式が構成されている場合、この設定は有効となる）をＣＵが設定モジュールから読み出すことを含むが、これらに制限されない。
２、取得した設定パラメータを記憶する。
【０１１１】
例７（ＤＵ設定過程）は、以下の内容を含む。
１、設定パラメータを取得し、ＤＵ動的セル均衡化スイッチの設定パラメータ、ＤＵの基本設定パラメータ、ＤＵに対応するＣＵ設定パラメータ、ＤＵに対応するＣＵの優先度設定パラメータ、負荷平均を算出するためのパラメータ重み設定（ＵＥ数重み、ＣＰＵ使用率重み、メモリ使用率重み、ストレージ指標重み、帯域幅重みを含むが、これらに限定されない）、ＤＵ動的セル均衡化トリガ方式の設定パラメータ（周期トリガ及びイベントトリガを含むが、これらに限定されない）、ＤＵ動的セル均衡化周期の設定パラメータ、Ｆ１インタフェースメッセージの負荷トリガ方式の設定パラメータ（ＤＵは、ＣＵのメッセージＣＵ  ＬＯＡＤ  ＩＮＦＯＲＭＡＴＩＯＮ  ＩＮＤＩＣＡＴＩＯＮを受動的に待つか、又はＤＵがＣＵ  ＬＯＡＤ  ＩＮＦＯＲＭＡＴＩＯＮ  ＲＥＱＵＥＳＴメッセージをＣＵに能動的に送信するか）、ＤＵ動的セル均衡化タイマの設定、ＣＵの高負荷及び低負荷閾値の設定、ＣＵ負荷情報応答送信方式の設定（たとえば周期性かイベント）をＤＵが設定モジュールから読み出すことを含むが、これらに制限されない。
２、取得した設定パラメータを記憶する。
【０１１２】
例８（負荷値の保存過程）は、以下の内容を含む。
Ｎ回の負荷応答メッセージ（又はＮ回の負荷指示メッセージ）を受信してセル均衡化判断を開始するように予め設定されており、イベント型負荷過程であればＮ＝１である。それ以外の場合、Ｎは１以上である。
１、ＤＵ２が特定時間内にＣＵ１とＣＵ２からＣＵの負荷情報応答を受信したか否かを判定し、受信しなかった場合、プロセスを終了する。
２、平均負荷値を算出し、算出方法には、次の方法が含まれるが、これらに限定されない。
全ＵＥ数に対するＣＵのＵＥ数の割合を取得し、ＣＰＵ使用率、メモリ使用率、ストレージ使用率、帯域幅使用率を取得する。
バックグラウンドで設定されたＤＵのＵＥ数重み、ＣＰＵ使用率重み、メモリ使用率重み、ストレージ指標重み、帯域幅重みを取得する。
計算式は、平均負荷＝（ＤＵのＵＥ数重み＊全ＵＥ数に対するＣＵのＵＥ数の割合＋ＣＰＵ使用率重み＊ＣＰＵ使用率＋メモリ使用率重み＊メモリ使用率＋ストレージ指標重み＊ストレージ使用率＋帯域幅重み＊帯域幅使用率）＊１００である。
平均負荷を負荷閾値と比較し、セル均衡化が必要であるか否かを決定する。
３、周期的な負荷値保存過程には、平均負荷値をそれぞれＬ１２とＬ２２として保存する。
４、イベント型負荷値保存過程には、平均負荷値をそれぞれＬａｖｅｒａｇｅ１とＬａｖｅｒａｇｅ２として保存し、プロセスを終了する。
５、ＤＵ２は、Ｎ回の応答メッセージを受信し、ＣＵ１及びＣＵ２のＣＵ負荷値をそれぞれＬ１１、Ｌ１２．．．Ｌ２Ｎ、Ｌ２１、Ｌ２２．．．Ｌ２Ｎとして記憶する。
６、ＤＵ２はＣＵ１の平均負荷値Ｌａｖｅｒａｇｅ１＝（Ｌ１１＋Ｌ１２＋．．．＋Ｌ１Ｎ）／Ｎを算出し、ＣＵ２の平均負荷値Ｌａｖｅｒａｇｅ２＝（Ｌ２１＋Ｌ２２＋．．．＋Ｌ２Ｎ）／Ｎを算出する。
【０１１３】
例９（動的セル均衡化判断過程）は、以下の内容を含む。
１、ＤＵ２は負荷均衡化の判断を行い、高負荷閾値Ｈ、低負荷閾値Ｌを取得する。
２、ＤＵ２は、負荷値と負荷閾値に基づいて次の処理を行う。
ＤＵ２はＬａｖｅｒａｇｅ１とＬａｖｅｒａｇｅ２を比較し、
Ｌａｖｅｒａｇｅ１＜Ｌ、かつＬａｖｅｒａｇｅ２＞＝Ｈの場合、ＣＵ２は高負荷状態にあり、ＣＵ１は低負荷状態にあり、セル均衡化が必要であることを示し（セルを活性化（又は確立）することをターゲットＣＵであるＣＵ１に通知し、セルを非活性化（又は削除）することをソースＣＵであるＣＵ２に通知する）。
それ以外の場合は、次の処理を実行する。
（１）Ｌａｖｅｒａｇｅ１＞＝Ｈ、かつａｖｅｒａｇｅ２＜Ｌの場合、ＣＵ１は高負荷状態であり、ＣＵ２は低負荷状態であり、セル均衡化が必要であることを示し（セルを活性化（又は確立）することをターゲットＣＵであるＣＵ２に通知し、セルを非活性化（又は削除）することをソースＣＵであるＣＵ１に通知する）。
（２）Ｌａｖｅｒａｇｅ１＜Ｌ、かつＬａｖｅｒａｇｅ２＜Ｌの場合、ＣＵ１、ＣＵ２ともに高負荷状態ではなく、セル均衡化を行う必要がないことを示し、プロセスを終了する。
（３）Ｌａｖｅｒａｇｅ１＞＝Ｈ、かつＬａｖｅｒａｇｅ２＞＝Ｈの場合、ＣＵ１、ＣＵ２ともに高負荷状態であるが、セル均衡化ができないこを示し、プロセスを終了する。
３、セル均衡化を開始する。
【０１１４】
例１０（動的セル均衡化）は、図４に示すアーキテクチャを使用して、ＤＵ２に対応するＣＵ負荷を予め設定し、ＣＵ１は高負荷（セルを非活性化（又は削除）する必要があるソースＣＵ）、ＣＵ２は低負荷（セルリソースを割り当てる必要があるターゲットＣＵ）であり、予め設定された均衡化セル粒度は５であり、すなわち、一度に５個のセルリソースが割り当てられ、それは、以下の内容を含む。
１、ＤＵ（ＤＵ２）は、セルリソースをターゲットＣＵ（ＣＵ２）に割り当て、つまり、予め設定されたセル粒度５に従って一度に５個のセルを割り当て、５つのアイドルな利用可能なセルを選択し、セル設定メッセージＧＮＢ−ＤＵ  ＣＯＮＦＩＧＵＲＡＴＩＯＮ  ＵＰＤＡＴＥを介してターゲットＣＵ（ＣＵ２）に通知する処理を行う。
２、ターゲットＣＵは、セル設定メッセージＧＮＢ−ＤＵ  ＣＯＮＦＩＧＵＲＡＴＩＯＮ  ＵＰＤＡＴＥを受信し、セル活性化（又は確立）動作を実行し、メッセージＧＮＢ−ＤＵ  ＣＯＮＦＩＧＵＲＡＴＩＯＮ  ＵＰＤＡＴＥ  ＡＣＫＮＯＷＬＥＤＧＥを介して実行結果をＤＵに送信する。
３、ＤＵ（ＤＵ２）は、ＧＮＢ−ＤＵ  ＣＯＮＦＩＧＵＲＡＴＩＯＮ  ＵＰＤＡＴＥ  ＡＣＫＮＯＷＬＥＤＧＥメッセージをターゲットＣＵから受信し、受信したセル数がＩであるとすると、Ｉ＞０の場合、受信されたＩ個のセルのＩＤとターゲットＣＵ  ＩＤとを保存し、それ以外の場合、プロセスを終了する。
４、ＤＵは、ソースＣＵにおいてセルを非活性化（又は削除）し、Ｉ個の利用可能なセルを選択して、設定メッセージＧＮＢ−ＤＵ  ＣＯＮＦＩＧＵＲＡＴＩＯＮ  ＵＰＤＡＴＥを介してソースＣＵに通知する。
５、ソースＣＵは、セル設定メッセージＧＮＢ−ＤＵ  ＣＯＮＦＩＧＵＲＡＴＩＯＮ  ＵＰＤＡＴＥを受信し、セル非活性化（又は削除）動作を実行し、メッセージＧＮＢ−ＤＵ  ＣＯＮＦＩＧＵＲＡＴＩＯＮ  ＵＰＤＡＴＥ  ＡＣＫＮＯＷＬＥＤＧＥを介して実行結果をＤＵに送信する。
６、ＤＵ（ＤＵ２）は、ＧＮＢ−ＤＵ  ＣＯＮＦＩＧＵＲＡＴＩＯＮ  ＵＰＤＡＴＥ  ＡＣＫＮＯＷＬＥＤＧＥメッセージをソースＣＵから受信し、ＤＵのこのＩ個のセル情報を更新し、プロセスを終了する。
【０１１５】
例１１（ＣＵのスムーズなアップグレード）は、図３に示すアーキテクチャを使用して、ＣＵ１のアップグレードを予め設定し、ＣＵ２を一時的にアップグレードし、それは、以下の内容を含む。
１、ＤＵ２は、まず、ＣＵ２においてセルの一部を活性化（又は確立）する。
２、ＤＵ２は、新しいユーザがＣＵ２にアクセスすることを保証する。
３、ＤＵ２は、既存ユーザーが自然にドロップするのを待って、ドロップに成功した後に、アップグレードするようにＣＵ１に通知する。
【０１１６】
例１２（単一セルがマルチＣＵに接続されるシナリオ）は、図３に示すアーキテクチャを使用して、セルを活性化（又は確立）するように予め設定し、このセルをｃｅｌｌ１とし、それは、以下の内容を含む。
１、ＤＵ２は、セル設定メッセージＧＮＢ−ＤＵ  ＣＯＮＦＩＧＵＲＡＴＩＯＮ  ＵＰＤＡＴＥをＣＵ２に送信してｃｅｌｌ１の活性化（又は確立）を開始し、ＣＵ２は、セル活性化（又は確立）動作を実行し、ＣＵ２の実行結果はメッセージＧＮＢ−ＤＵ  ＣＯＮＦＩＧＵＲＡＴＩＯＮ  ＵＰＤＡＴＥ  ＡＣＫＮＯＷＬＥＤＧＥを介してＤＵ２に送信される。
２、ＤＵ２は、セル設定メッセージＧＮＢ−ＤＵ  ＣＯＮＦＩＧＵＲＡＴＩＯＮ  ＵＰＤＡＴＥをＣＵ１に送信してｃｅｌｌ１の活性化（又は確立）を開始し、ＣＵ１はセル活性化動作（又は確立）を実行し、ＣＵ１の実行結果はメッセージＧＮＢ−ＤＵ  ＣＯＮＦＩＧＵＲＡＴＩＯＮ  ＵＰＤＡＴＥ  ＡＣＫＮＯＷＬＥＤＧＥを介してＤＵ２に送信される。
３、ＤＵ２は、ＧＮＢ−ＤＵ  ＣＯＮＦＩＧＵＲＡＴＩＯＮ  ＵＰＤＡＴＥ  ＡＣＫＮＯＷＬＥＤＧＥを２回受信し、セルの活性化（又は確立）に成功する。
【０１１７】
本願の実施例によれば、１つのＣＵ−ＣＰが複数のＤＵに対応し、１つのＤＵも複数のＣＵ−ＣＰに対応してもよいという形態に基づいて、ＤＵを高負荷のＣＵ−ＣＰからより低負荷のＣＵ−ＣＰに移行し、各ＣＵ−ＣＰの負荷を均衡化し、容量拡張を減少させ、コストを削減し、リソースを合理的に割り当てるという目的を達成することができる。
【０１１８】
この形態を実行すると、ＣＵ−ＣＰの負荷が高い場合、無線リソースの利用率が影響を受け、その結果、ＲＲＣ輻輳、伝送輻輳などを引き起こし、移動通信サービスのベアラ能力に深刻な影響を与え、また、ユーザーのコールドロップ、ユーザーのアクセス不能、データ接続交換速度の低下、ユーザーのアクセス遅延の増加を引き起こし、ユーザーのアクセス速度に悪影響を与え、それによって顧客満足度を低下させ、ユーザーエクスペリエンスに深刻な影響を与えるなどの問題も解決できる。
【０１１９】
本形態を実行すると、ＣＵ−ＣＰはシームレスなアップグレードを実現することができ、アップグレード中のＵＥコールドロップの問題を解決する。
【０１２０】
本形態を実行すると、単一セルがマルチＣＵ−ＣＰに接続されるシナリオをサポートし（単一セルのユーザベースマルチＣＵ−ＣＰ接続をサポートする）、それにより、１つのＣＵ−ＣＰ負荷が非常に高い場合のＵＥアクセスの問題を解決する。
【０１２１】
例示のために、本願の好ましい実施例を開示したが、当業者にとって明らかなように、様々な改良、追加や置換も可能であり、したがって、本願の範囲は上記実施例に限定されないものではない。
【図１】
2021525042.tif 000010
【図２】
2021525042.tif 000011
【図３】
2021525042.tif 000012
【図４】
2021525042.tif 000013
【図５】
2021525042.tif 000014
【図６】
2021525042.tif 000015
【図７】
2021525042.tif 000016
【図８】
2021525042.tif 000017
【図９】
2021525042.tif 000018
【図１０】
2021525042.tif 000019
【図１１】
2021525042.tif 000020
【手続補正書】
【提出日】令和2年11月20日(2020.11.20)
【手続補正１】
【補正対象書類名】明細書
【補正対象項目名】０１１２
【補正方法】変更
【補正の内容】
【０１１２】
例８（負荷値の保存過程）は、以下の内容を含む。
Ｎ回の負荷応答メッセージ（又はＮ回の負荷指示メッセージ）を受信してセル均衡化判断を開始するように予め設定されており、イベント型負荷過程であればＮ＝１である。それ以外の場合、Ｎは１以上である。
１、ＤＵ２が特定時間内にＣＵ１とＣＵ２からＣＵの負荷情報応答を受信したか否かを判定し、受信しなかった場合、プロセスを終了する。
２、平均負荷値を算出し、算出方法には、次の方法が含まれるが、これらに限定されない。
全ＵＥ数に対するＣＵのＵＥ数の割合を取得し、ＣＰＵ使用率、メモリ使用率、ストレージ使用率、帯域幅使用率を取得する。
バックグラウンドで設定されたＤＵのＵＥ数重み、ＣＰＵ使用率重み、メモリ使用率重み、ストレージ指標重み、帯域幅重みを取得する。
計算式は、平均負荷＝（ＤＵのＵＥ数重み＊全ＵＥ数に対するＣＵのＵＥ数の割合＋ＣＰＵ使用率重み＊ＣＰＵ使用率＋メモリ使用率重み＊メモリ使用率＋ストレージ指標重み＊ストレージ使用率＋帯域幅重み＊帯域幅使用率）＊１００である。
平均負荷を負荷閾値と比較し、セル均衡化が必要であるか否かを決定する。
３、周期的な負荷値保存過程には、平均負荷値をそれぞれＬ１２とＬ２２として保存する。
４、イベント型負荷値保存過程には、平均負荷値をそれぞれＬａｖｅｒａｇｅ１とＬａｖｅｒａｇｅ２として保存し、プロセスを終了する。
５、ＤＵ２は、Ｎ回の応答メッセージを受信し、ＣＵ１及びＣＵ２のＣＵ負荷値をそれぞれＬ１１、Ｌ１２．．．Ｌ１Ｎ、Ｌ２１、Ｌ２２．．．Ｌ２Ｎとして記憶する。
６、ＤＵ２はＣＵ１の平均負荷値Ｌａｖｅｒａｇｅ１＝（Ｌ１１＋Ｌ１２＋．．．＋Ｌ１Ｎ）／Ｎを算出し、ＣＵ２の平均負荷値Ｌａｖｅｒａｇｅ２＝（Ｌ２１＋Ｌ２２＋．．．＋Ｌ２Ｎ）／Ｎを算出する。
【国際調査報告】
2021525042.tif 000021
2021525042.tif 000022
2021525042.tif 000023
2021525042.tif 000024